(57)【特許請求の範囲】
【請求項１】
地中の排水管路に接続され上方に延出された立管の上端開口部に取付けられる排水管路用圧力開放蓋であって、
枠状の蓋枠と、
該蓋枠内に着脱可能に嵌込まれ、上下方向に貫通する貫通孔が設けられた蓋本体と、
該蓋本体の前記貫通孔に嵌挿され該貫通孔を閉鎖する下限位置、及び前記蓋本体から浮上し前記貫通孔を開放する上限位置、の間で上下方向に移動可能な可動開閉蓋と、
該可動開閉蓋の下面から垂下され、前記可動開閉蓋の移動方向を上下方向に規制する案内部と、
前記可動開閉蓋の外周面に装着され、前記可動開閉蓋が前記下限位置に移動した際、前記蓋本体に接触し、前記貫通孔への雨水の浸入を阻止する環状のパッキンと
を備え、
前記貫通孔の内周面は、下側ほど開口面積が小さくなるテーパー状の傾斜内周面と、該傾斜内周面から下方に延びた垂直内周面とを有し、
前記可動開閉蓋は、前記貫通孔の前記傾斜内周面に合致する傾斜外周面を有し、
前記パッキンは、前記貫通孔の前記傾斜内周面に接触可能な位置に配設されており、
前記案内部は、前記可動開閉蓋の前記下面の周縁部から垂下されるとともに、周方向に所定の間隔で配置され、前記垂直内周面に案内される複数本の脚部を有している
ことを特徴とする排水管路用圧力開放蓋。
【請求項２】
前記脚部は、
棒状の部材であり、上端を支点として弾性変形可能に設けられていることを特徴とする請求項１に記載の排水管路用圧力開放蓋。
【請求項３】
前記可動開閉蓋は、前記傾斜外周面に形成された環状の溝部をさらに有し、
前記パッキンは、前記溝部に収容されるとともに、一部分が前記溝部の外部にはみ出した状態で配置されており、前記傾斜内周面に接触可能とされている
ことを特徴とする請求項１または請求項２に記載の排水管路用圧力開放蓋。
【発明の詳細な説明】
【技術分野】
【０００１】
本発明は、排水管路用圧力開放蓋に関し、特に、排水枡やマンホールなど立管の上端開口部に取付けられ、排水管路内の圧力を開放することが可能な排水管路用圧力開放蓋に関するものである。
【背景技術】
【０００２】
図３に示すように、住宅内の流し台や浴槽等の各設備５０には排水管路５１（枝管）が接続されており、この排水管路５１と、地中に埋設された排水本管５２との接続箇所には、排水枡５３が設置されている。排水枡５３には、地表面まで延出された掃除管５４が立設され、その上端開口が掃除蓋５５によって閉鎖されている。掃除蓋５５は、一般に、掃除管５４の上端部分に固定された円筒状の蓋枠５６と、蓋枠５６内に着脱可能に嵌込まれた円盤状の蓋本体５７とから構成されている。
【０００３】
ところで、蓋本体５７は、掃除管５４内に雨水が浸入しないように、蓋枠５６に対して密接した状態で嵌込まれている。このため、例えば集中豪雨により多量の雨水が排水本管５２に流れ込んだ場合には、排水本管５２側から発生する圧力により、排水枡５３及び排水管路５１内の圧力（内圧）が過大となり、ひいては排水枡５３や排水管路５１を破損したり、住宅内の各設備５０の封水を飛散させたりする虞があった。
【０００４】
この不具合を解消する掃除蓋として、図４（ａ）に示す圧力開放蓋６０が提案されている（特許文献１参照）。この圧力開放蓋６０は、円盤状の蓋体６１及び円筒状の蓋枠６２から構成され、蓋体６１には、裏面から垂下されたガイド部材６４と、蓋体６１の上下動を規制するロック部材６５とが備えられ、蓋枠６２には、蓋体６１を着脱可能に支持する受口部６６と、ロック部材６５のフック部６５ａに係合可能な環状の突起部６７とが備えられている。また、蓋体６１が蓋枠６２に装着された状態、すなわち蓋枠６２の開口部６２ａが閉鎖された状態では、ロック部材６５のフック部６５ａが突起部６７よりも下方に離間して配置されている。これによれば、蓋体６１の下面に過大な圧力がかかったとき、ロック部材６５のフック部６５ａと突起部６７とが係合するまで蓋体６１を押し上げ（図４（ａ）に示す状態）、蓋枠６２の開口部６２ａを通して圧力を開放することが可能になっている。また、ロック部材６５及び突起部６７を備えることにより、たとえ内圧の上昇に伴って蓋体６１が大きく押し上げられても、蓋体６１が蓋枠６２から外れないようになっている。
【０００５】
また、別の掃除蓋として、図４（ｂ）に示すものが提案されている（特許文献２参照）。この圧力開放蓋７０は、略円筒状の蓋枠７１と、蓋枠７１内に着脱可能に嵌込まれ上下方向に貫通する複数の貫通孔７２を有する蓋本体７３と、蓋本体７３の上面に重ねられ複数の貫通孔７２を閉鎖する覆部材７４とから構成されている。また、覆部材７４は、中心に配置された支持部材７５によって上下方向に移動可能な状態で支持されるとともに、その上限位置が規制されている。これによれば、排水枡５３内の内圧が高くなると、貫通孔７２を介して覆部材７４に圧力が加わり、覆部材７４を押し上げることで貫通孔７２を開放し、圧力を逃すことが可能になっている。また、内圧が低下すると、覆部材７４が自重によって降下し、貫通孔７２を自然に閉鎖するようになっている。
【発明の概要】
【発明が解決しようとする課題】
【０００６】
しかし、図４（ａ）に示した圧力開放蓋６０によれば、蓋体６１自体を内圧によって押し上げる構成であるため、可動部分の重量が大きくなり、例えば内圧の上昇が比較的小さい場合には、蓋体６１を押し上げることが困難となったり、蓋体６１の動きが不安定となったりしていた。
【０００７】
また、圧力開放蓋６０の近傍に何らかの障害物が設置され、その障害物が蓋体６１の上面に食み出した状態で載置されている場合には、蓋体６１を押し上げることができなくなり、ひいては圧力開放蓋として機能させることができなくなっていた。
【０００８】
また、排水枡５３の掃除やメンテナンスを行うにあたり、蓋体６１を蓋枠６２から取り外す場合には、ロック部材６５による係合状態を解除すること、具体的にはロック部材６５を回転操作することが必要となり、作業性が悪くなっていた。
【０００９】
さらに、圧力開放蓋６０の蓋枠６２には、蓋体６１を着脱可能に受ける受口部６６が形成されているが、この受口部６６は、水平な平面で形成されているため、例えば蓋体６１が押し上げられたとき、蓋枠６２内に、砂、土またはゴミなどの流入物が浸入すると、それらの流入物が受口部６６上に残留しやすくなっていた。そして、蓋体６１と受口部６６との間に流入物が残留した場合には、蓋体６１を原状に復帰させることができなくなり、ひいては蓋体６１の周囲から雨水が浸入しやすくなるという問題が生じていた。さらに、圧力開放蓋６０の定期的な清掃が必要となり、メンテナンスのための負担も大きくなっていた。
【００１０】
一方、図４（ｂ）に示した圧力開放蓋７０によれば、蓋本体７３の貫通孔７２を塞ぐための覆部材７４が、蓋本体７３の上面に重ねられ、且つ蓋本体７３の上面が平面となっているため、覆部材７４が押し上げられたとき、蓋本体７３と覆部材７４との間に、砂、土またはゴミなどの流入物が浸入すると、蓋本体７３上の貫通孔７２以外の平面部分に流入物が残留しやすくなっていた。そして、流入物が残留した場合には、覆部材７４を原状に復帰させることができなくなっていた。
【００１１】
また、圧力開放蓋７０によれば、蓋本体７３の上面に覆部材７４が重ねられているため、歩行者が覆部材７４に躓きやすいという不具合を有していた。特に、蓋本体７３と覆部材７４との間に流入物が浸入した場合には、覆部材７４が大きく突出したままとなり、躓きやすさが助長されていた。
【００１２】
そこで、本発明は、上記の実状に鑑み、排水管路内の圧力の上昇が比較的小さな場合でも、確実に圧力を開放することができ、また、圧力の開放時に砂や土などが浸入しても、原状に復帰させ、雨水の浸入を防止することができる排水管路用圧力開放蓋を提供することを課題とするものである。
【課題を解決するための手段】
【００１３】
本発明にかかる排水管路用圧力開放蓋は、
「地中の排水管路に接続され上方に延出された立管の上端開口部に取付けられる排水管路用圧力開放蓋であって、
枠状の蓋枠と、
該蓋枠内に着脱可能に嵌込まれ、上下方向に貫通する貫通孔が設けられた蓋本体と、
該蓋本体の前記貫通孔に嵌挿され該貫通孔を閉鎖する下限位置、及び前記蓋本体から浮上し前記貫通孔を開放する上限位置、の間で上下方向に移動可能な可動開閉蓋と、
該可動開閉蓋の下面から垂下され、前記可動開閉蓋の移動方向を上下方向に規制する案内部と、
前記可動開閉蓋の外周面に装着され、前記可動開閉蓋が前記下限位置に移動した際、前記蓋本体に接触し、前記貫通孔への雨水の浸入を阻止する環状のパッキンと
を備え、
前記貫通孔の内周面は、下側ほど開口面積が小さくなるテーパー状の傾斜内周面と、該傾斜内周面から下方に延びた垂直内周面とを有し、
前記可動開閉蓋は、前記貫通孔の前記傾斜内周面に合致する傾斜外周面を有し、
前記パッキンは、前記貫通孔の前記傾斜内周面に接触可能な位置に配設されており、
前記案内部は、前記可動開閉蓋の前記下面の周縁部から垂下されるとともに、周方向に所定の間隔で配置され、前記垂直内周面に案内される複数本の脚部を有している」
ことを特徴とするものである。
また、本発明の排水管路用圧力開放蓋において、
「前記脚部は、
棒状の部材であり、上端を支点として弾性変形可能に設けられている」
構成とすることができる。
更に、本発明の排水管路用圧力開放蓋において、
「前記可動開閉蓋は、前記傾斜外周面に形成された環状の溝部をさらに有し、
前記パッキンは、前記溝部に収容されるとともに、一部分が前記溝部の外部にはみ出した状態で配置されており、前記傾斜内周面に接触可能とされている」
構成とすることができる。
【００１４】
ここで、「立管」には、排水枡及びマンホールが含まれる。また、「蓋本体」は、蓋枠から突出しないように上面の高さを蓋枠の上面の高さに一致させることが好ましい。また、同様の理由により、「可動開閉蓋」が下限位置の場合、可動開閉蓋の上面の高さを蓋本体の上面の高さに一致させることが好ましい。
【００１５】
また、蓋本体における「貫通孔」の位置は特に限定されるものではないが、他の障害物が蓋本体上にはみ出して載置された場合でも、その影響を最も受けにくい蓋本体の中央に設けることが好ましい。また、「環状のパッキン」としては、断面形状が円形のＯリング、または断面形状が矩形の平パッキン等を例示することができる。
【００１６】
本発明の排水管路用圧力開放蓋によれば、蓋枠に嵌込まれた蓋本体には、上下方向に貫通する貫通孔が設けられ、この貫通孔内に可動開閉蓋が嵌挿されている。可動開閉蓋の下面には案内部が垂下されており、案内部を貫通孔の周面に対して摺接させることで、可動開閉蓋は、下限位置及び上限位置の間で上下方向に案内される。可動開閉蓋が下限位置に移動すると、可動開閉蓋は、蓋本体の貫通孔に嵌挿され、その貫通孔を閉鎖する。一方、可動開閉蓋が上限位置に向かって移動すると、可動開閉蓋は蓋本体から浮上することとなり貫通孔を開放する。
【００１７】
さらに詳しく説明すると、排水管路や立管内の圧力（以下、「内圧」という）が低い場合には、可動開閉蓋は下限位置に保持され、蓋本体との協働で立管の上端開口を閉鎖する。なお、可動開閉蓋の外周面には環状のパッキンが装着されており、可動開閉蓋が下限位置に移動すると、パッキンは蓋本体の貫通孔の内周面に接触する。したがって、可動開閉蓋の外周面と貫通孔の内周面とがパッキンを介して密接した状態となり、貫通孔内への雨水の浸入が阻止される。一方、内圧が高くなると、可動開閉蓋の下面に圧力が加えられ、可動開閉蓋は上限位置に向かって押し上げられる。この結果、可動開閉蓋の外周面及びパッキンが貫通孔の内周面から離れ、排水管路や立管内の圧力を開放する。そして、圧力の開放によって内圧が低下すると、可動開閉蓋を押し上げる力が消失することから、可動開閉蓋は自重により自然に下降し、下限位置（すなわち原状位置）に復帰する。
【００１８】
ところで、貫通孔の内周面は、下側ほど開口面積が小さくなるテーパー状の傾斜内周面となっており、可動開閉蓋の外周面は、貫通孔の傾斜内周面に合致する傾斜外周面となっている。このため、下限位置では、貫通孔の内周面のみで可動開閉蓋を保持することができ、しかも、可動開閉蓋が原状に向かって復帰する際、貫通孔の内周面（すなわち傾斜内周面）に対して可動開閉蓋の外周面（すなわち傾斜外周面）が嵌挿されるため、内周面及び外周面を円滑にしかも容易に合致させることができる。また、蓋本体において、可動開閉蓋を受ける部分がテーパー状の傾斜内周面となっているため、たとえ、砂や土またはゴミ等の流入物が浸入しても、その流入物は傾斜内周面の傾斜に沿って貫通孔内に流れ落ち、傾斜内周面上、すなわち可動開閉蓋と蓋本体との間には残留しないようになる。したがって、可動開閉蓋を確実に下限位置まで復帰させることが可能となる。
【００１９】
また、可動開閉蓋の外周面に装着されたパッキンは、可動開閉蓋が下限位置に移動した際、貫通孔の傾斜内周面に接触するため、可動開閉蓋の自重によってパッキンを傾斜内周面に圧接させることができ、水密状態を維持することが可能になる。また、内圧が高くなって可動開閉蓋に上向きの力が作用した際、パッキンは傾斜内周面に沿って摺接することとなるが、傾斜内周面は上側ほど開口面積が広がっていることから、パッキンに対する摩擦力が小さくなる。したがって、パッキンによる摺動抵抗を小さく抑えることができ、ひいては内圧の上昇が比較的小さな場合でも可動開閉蓋を容易に押し上げることが可能になる。
【００２１】
これによれば、可動開閉蓋の傾斜外周面に環状の溝部が形成されており、その溝部に環状のパッキンが収容されている。また、パッキンは一部分が溝部の外部にはみ出しており、はみ出した部分が、蓋本体における貫通孔の傾斜内周面に接触するようになっている。このため、可動開閉蓋が下限位置に移動した際に、パッキンと傾斜内周面との間で摺動抵抗が発生しても、可動開閉蓋の傾斜外周面に対してパッキンがずれないようになる。また、傾斜外周面から外方に突出するのは、パッキンの一部分（はみ出した部分）のみであるため、可動開閉蓋の傾斜外周面と貫通孔の傾斜内周面との隙間を極力少なくすることができる。
【００２３】
ここで、「脚部」の本数は特に限定されるものではないが、三本以上とすることにより、可動開閉蓋を安定して支持することが可能になる。
【００２４】
これによれば、可動開閉蓋の移動方向を規制する案内部は、可動開閉蓋の下面周縁部から垂下され、周方向に所定の間隔で配置された複数本の脚部によって構成されているため、可動開閉蓋が蓋本体から浮上した際、脚部同士の間の空間を通して圧力を開放することが可能になる。特に、この空間の面積、すなわち開放面積は、可動開閉蓋の押し上げ位置が高くなるほど大きくなる。換言すれば、内圧の上昇が比較的小さい場合は、開放面積が小さく、内圧の上昇が大きいほど開放面積が大きくなる。したがって、内圧の上昇が比較的小さな場合でも確実に可動開閉蓋を押し上げることができ、一方、内圧の上昇が大きな場合でも可動開閉蓋に極めて大きな圧力がかかることを抑制し、可動開閉蓋の破壊等を防止することができる。
【００２５】
また、夫々の脚部の下端には係止爪部が設けられ、可動開閉蓋が上限位置に移動した際、蓋本体の下面等に係止されるようにしても良い。これにより、たとえ可動開閉蓋が大きく押し上げられた場合でも、蓋本体から可動開閉蓋が外れることを防止できる。なお、夫々の脚部は、上端を支点として内方に弾性変形可能であるため、脚部を内方に変形することにより、係止爪部を蓋本体の下面に係止させることなく、抜き取ることが可能になる。つまり、可動開閉蓋を交換したり蓋本体の貫通孔を掃除したりする場合の作業においても、作業者に負担をかけることなく、簡単に行わせることができる。
【発明の効果】
【００２６】
このように、本発明によれば、排水管路内の圧力の上昇が比較的小さな場合でも、確実に圧力を開放することができる。また、圧力の開放時に砂や土などが浸入しても、可動開閉蓋を原状に復帰させ、雨水の浸入を確実に防止することができる。
【図面の簡単な説明】
【００２７】
【図１】本実施形態の排水管路用圧力開放蓋の構成を示す分解斜視図である。
【図２】排水管路用圧力開放蓋の動作を示す断面図であり、（ａ）は可動開閉蓋が下限位置である状態を示し、（ｂ）は可動開閉蓋が上限位置である状態を示す。
【図３】排水システムの全体構成を示す概略図である。
【図４】（ａ）は従来の圧力開放蓋を示す断面図であり、（ｂ）は従来の他の圧力開放蓋を示す断面図である。
【発明を実施するための形態】
【００２８】
以下、本発明の実施形態である排水管路用圧力開放蓋１（以下、「圧力開放蓋１」と称す）について、図１及び図２に基づき説明する。圧力開放蓋１は、掃除管５４（図３参照）の上端開口部に取付けられるものであり、掃除管５４の上端開口部に固定される蓋枠２（図１では省略）と、蓋枠２の開口部３内に着脱可能に嵌込まれる蓋本体４と、蓋本体４の外周面に装着されるパッキン９（図１では省略）と、蓋本体４の中央に設けられた貫通孔５に嵌挿される可動開閉蓋６と、可動開閉蓋６から垂下された案内部７と、可動開閉蓋６の外周面に装着されるパッキン８と、を備えて構成されている。以下、各構成について詳細に説明する。ここで、掃除管５４が本発明の立管に相当する。
【００２９】
蓋枠２は、略円筒状の形状を呈した合成樹脂製の部材であり、その上部側には、外側に向かって張出した肉厚部１０が形成されている。また、蓋枠２の内周面上端には、蓋本体４の円板部１３（後述する）を収容した状態で支持する受口部１１が形成されている。なお、蓋枠２は、上面の高さが地表面Ａ（図３参照）に一致するように取付けられる。
【００３０】
蓋本体４は、蓋枠２と同様、合成樹脂製であり、円板形状の円板部１３と、円板部１３の底面から下方に垂設された略円筒状の垂下筒部１４とを備えている。なお、円板部１３の厚みは、蓋枠２における受口部１１の深さに等しく、蓋本体４が蓋枠２の受口部１１に嵌込まれた際、蓋本体４の上面の高さが蓋枠２の上面の高さに一致するようになっている。また、蓋本体４の中心には上下方向に貫通する貫通孔５が設けられている。貫通孔５の内周面は、下側ほど開口面積が小さくなるテーパー状の傾斜内周面１７となっている。この傾斜内周面１７の傾斜角は、特に限定されるものではないが、３０°〜６０°とすることが好ましく、特に４５°が最適である。なぜなら、この傾斜角度が６０°よりも大きな場合（すなわち垂直に近い場合）には、貫通孔５における上部側の開口面積と下部側の開口面積との差が小さくなり、貫通孔５の内周面で可動開閉蓋６を支持しようとすると、貫通孔５と可動開閉蓋６との嵌合わせに自由度がなくなり、可動開閉蓋６を自然に復帰させることが困難となるからである。また、傾斜角度が３０°よりも小さな場合には、傾斜内周面１７に土や砂またはゴミなどが流入した際、滑り落ちることなく残留する可能性があるからである。なお、貫通孔５の内周面のうち下端部分のみは、垂直内周面１８となっており、この垂直内周面１８によって後述する脚部２４との摺接面が確保されている。
【００３１】
可動開閉蓋６は、蓋本体４と同様、合成樹脂製であり、略円板形状に形成されている。可動開閉蓋６の厚みは、蓋本体４における円板部１３と略同一であり、蓋本体４の貫通孔５に嵌挿した状態では、可動開閉蓋６の上面の高さが蓋本体４の上面の高さに一致するようになっている。つまり、蓋枠２、蓋本体４、及び可動開閉蓋６の上面は、互いに連続する平面となっており、地表面Ａから突出することなく配置されている。
【００３２】
可動開閉蓋６の外周面には、下側ほど断面積が小さくなる傾斜外周面１９が形成されており、可動開閉蓋６が貫通孔５に嵌挿された際、傾斜外周面１９全体が貫通孔５の傾斜内周面１７に合致するように構成されている。なお、可動開閉蓋６の傾斜外周面１９には、環状の溝部２０が形成され、パッキン８が一部をはみ出した状態で収容されているため、傾斜内周面１７と傾斜外周面１９との間には僅かな隙間が形成される。
【００３３】
案内部７は、可動開閉蓋６の移動方向を上下方向に規制するものであり、可動開閉蓋６の下面２２の周縁部から垂下され、周方向に１２０度間隔で配置された三本の脚部２４を備えている。夫々の脚部２４は、棒状の部材であり、蓋本体４における貫通孔５の垂直内周面１８に対して内側から摺接することにより、可動開閉蓋６を水平に保ったまま上下方向に移動させることを可能にしている。また、脚部２４の下端には外向きに突出した係止爪部２５が形成されており、可動開閉蓋６が上方に移動した際、蓋本体４の下面に係止されることで、可動開閉蓋６の上限位置を規制している。なお、夫々の脚部２４は互いに離間して配置され、また脚部２４は上端を支点として弾性変形可能であるため、三本の脚部２４を同時に内側に向かって変形させることにより、係止爪部２５の係合状態を解除し、可動開閉蓋６及び案内部７を蓋本体４から取り外すことが可能である。
【００３４】
次に、本実施形態の圧力開放蓋１の作用について、図２に基づき説明する。排水枡５３（図３参照）の内圧が低い場合（通常の場合）には、図２（ａ）に示すように、可動開閉蓋６は下限位置に位置する。この下限位置では、可動開閉蓋６は、蓋本体４における貫通孔５の傾斜内周面１７によって受止められ、貫通孔５を閉鎖する。また、可動開閉蓋６の外周面（傾斜外周面１９）には環状のパッキン８が装着されており、下限位置ではパッキン８が貫通孔５の傾斜内周面１７に接触する。これにより、可動開閉蓋６の傾斜外周面１９と貫通孔５の傾斜内周面１７とがパッキン８を介して密接した状態となる。
【００３５】
一方、排水枡５３の内圧が高くなると、可動開閉蓋６の下面に圧力が加えられ、可動開閉蓋６は上限位置（図２（ｂ）参照）に向かって押し上げられる。なお、可動開閉蓋６の下面には、三本の脚部２４が等間隔で配置されているため、可動開閉蓋６は、これらの脚部２４が貫通孔５の垂直内周面１８に摺接することにより、水平状態を保ったまま真直ぐ押し上げられる。そして、可動開閉蓋６が蓋本体４から浮上すると、可動開閉蓋６の傾斜外周面１９及びパッキン８が貫通孔５の傾斜内周面１７から離れ、脚部２４同士の間の空間Ｓを通して圧力が開放される。なお、夫々の脚部２４の下端には係止爪部２５が設けられているため、可動開閉蓋６が上限位置に移動すると、係止爪部２５が蓋本体４の下面に係止され、可動開閉蓋６が蓋本体４から外れることが防止される。
【００３６】
また、上記の空間Ｓの面積、すなわち開放面積は、可動開閉蓋６の押し上げ位置が高くなるほど大きくなる。換言すれば、内圧の上昇が比較的小さい場合は、開放面積が小さく、内圧の上昇が大きいほど開放面積が大きくなる。したがって、内圧の上昇が比較的小さな場合でも確実に可動開閉蓋６を押し上げることができ、一方、内圧の上昇が大きな場合でも可動開閉蓋６に極めて大きな圧力がかかることを抑制し、可動開閉蓋６の破壊等を防止することができる。
【００３７】
そして、圧力の開放によって内圧が低下すると、可動開閉蓋６を押し上げる力が消失するため、可動開閉蓋６は自重により自然に下降し、下限位置（すなわち原状位置）に復帰する。
【００３８】
このように、本例の圧力開放蓋１によれば、内圧によって押し上げられる部分は、蓋本体４の貫通孔５に嵌挿された可動開閉蓋６及び案内部７のみであるため、可動部分の重量が軽くなる。また、蓋本体４の近傍に何らかの障害物が設置され、その障害物が蓋本体４の上面に食み出した状態で載置された場合でも、可動開閉蓋６は蓋本体４の中央に配置されているため、障害物による影響は受けにくい。また、パッキン８が接触するのは貫通孔５の傾斜内周面１７であるため、パッキン８による摺動抵抗が小さくなる。さらに、内圧の上昇が小さな場合には、可動開閉蓋６の上昇が少なく、圧力が開放される空間Ｓの面積が小さくなる。以上の理由により、本例の圧力開放蓋１によれば、内圧の上昇が比較的小さな場合でも、可動開閉蓋６を確実に押し上げ圧力を開放することが可能となる。
【００３９】
また、本例の圧力開放蓋１によれば、可動開閉蓋６が押し上げられたときに、可動開閉蓋６と蓋本体４との間に、砂や土またはゴミ等の流入物が浸入することがあっても、その流入物は傾斜内周面１７の傾斜に沿って貫通孔５内に流れ落ち、傾斜内周面１７上、すなわち可動開閉蓋６と蓋本体４との接合部分には残留しないようになる。また、可動開閉蓋６は脚部２４によって案内されるため、圧力が開放された後、真直ぐ降下させることができる。また、貫通孔５の傾斜内周面１７に対して可動開閉蓋６の傾斜外周面１９が嵌挿されるため、貫通孔５に対して可動開閉蓋６を円滑にしかも容易に嵌挿させることができる。さらに、パッキン８が接触する内周面は、テーパー状の傾斜内周面１７であるため、可動開閉蓋６の自重によってパッキン８を傾斜内周面１７に圧接させることができる。以上の理由により、本例の圧力開放蓋１では、可動開閉蓋６を確実に下限位置まで復帰させることが可能となる。
【００４０】
また、本例の圧力開放蓋１によれば、パッキン８は環状の溝部２０に収容されているため、可動開閉蓋６の傾斜外周面１９に対してパッキンがずれないように支持することができる。また、傾斜外周面１９から外方に突出するのは、パッキン８の一部分（はみ出した部分）のみであるため、可動開閉蓋６の傾斜外周面１９と貫通孔５の傾斜内周面１７との隙間を極力少なくすることができる。
【００４１】
さらに、本例の圧力開放蓋１によれば、三つの脚部２４を内方に変形することにより、可動開閉蓋６及び案内部７を蓋本体４から取り外すことが可能になるため、可動開閉蓋６を交換したり蓋本体４の貫通孔５を掃除したりする場合においても、作業者に負担をかけることなく、簡単に行わせることができる。
【００４２】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４３】
すなわち、上記実施形態では、貫通孔５の内周面下部に、案内部７を摺接させるための垂直内周面１８を形成するものを示したが、垂直内周面１８を形成することなく、貫通孔５の内周面全体を傾斜させるようにしてもよい。
【００４４】
また、上記実施形態では、蓋本体４に貫通孔５を一つのみ設けるものを示したが、貫通孔を複数設け、各貫通孔に対して夫々可動開閉蓋を嵌挿させるようにしてもよい。
【００４５】
さらに、上記実施形態では、蓋本体４として、円板部１３及び垂下筒部１４から構成されたものを示したが、強度を高めるために、垂下筒部１４の内側に格子状または放射状の補強部（図示しない）を設けるようにしてもよい。なお、この場合、補強部が貫通孔５の下方を通って横設されるようにしてもよい。
【符号の説明】
【００４６】
１  排水管路用圧力開放蓋
２  蓋枠
４  蓋本体
５  貫通孔
６  可動開閉蓋
７  案内部
８  パッキン
１７  傾斜内周面
１９  傾斜外周面
２０  溝部
２２  下面
２４  脚部
２５  係止爪部
５２  排水本管（排水管路）
５４  掃除管（立管）
【先行技術文献】
【特許文献】
【００４７】
【特許文献１】特開２００７−３２１５３５号公報
【特許文献２】実開平６−２０５８５号公報
【図１】
0005704956.tif 000002
【図２】
0005704956.tif 000003
【図３】
0005704956.tif 000004
【図４】
0005704956.tif 000005